(57)【要約】      （修正有）【課題】製作が容易で、しかも、使い勝手のよい帽子を提供する。【解決手段】複数枚の生地を縫い合わせてなる帽子であって、生地は縫代を設けず、端縁同士を直接突き合わせた状態で縫い合わせ可能な厚みを有して、該生地の突き合わせ部分６ａをミシンによってジグザグ縫い６ｂした。生地は、二枚の生地を貼り合わせてなり、互いに色または／及び素材が異なる二枚の生地を貼り合わせたり、ダブルフェイスの生地を使用することもある。また、比較的柔軟な生地を用いることで、リバーシブル可能なハットを構成する。【選択図】図１
0003212249.tif 000002
【実用新案登録請求の範囲】
【請求項１】
複数枚の生地を縫い合わせてなる帽子であって、前記生地は縫代を設けず、端縁同士を直接突き合わせた状態で縫い合わせ可能な厚みを有して、該生地の突き合わせ部分をミシンによってジグザグ縫いしたことを特徴とした帽子。
【請求項２】
生地は、二枚の生地を貼り合わせてなる請求項１記載の帽子。
【請求項３】
貼り合わせる二枚の生地は、互いに色または／及び素材が異なる請求項２記載の帽子。
【請求項４】
生地は、ダブルフェイスである請求項１記載の帽子。
【請求項５】
帽子はリバーシブル可能なハットである請求項１から４のうち何れか一項記載の帽子。
【考案の詳細な説明】
【技術分野】
【０００１】
この考案は、生地に縫代を設けることなく、端縁同士を直接突き合わせて縫合した新規な帽子に関する。
【背景技術】
【０００２】
従来、四枚接ぎや六枚接ぎといった複数枚の生地で構成される帽子は、それぞれの生地に縫代を設け、地縫いによって生地同士を縫い合わせている（非特許文献１）。
【先行技術文献】
【非特許文献】
【０００３】
【非特許文献１】帽子専門店ＨＡＴＢＬＯＣＫ、”帽子製作の流れ”、［ｏｎｌｉｎｅ］、山鶴株式会社、［平成２９年６月１日検索］、インターネット〈ＵＲＬ：ｈｔｔｐ：／／ｗｗｗ．ｈａｔｂｌｏｃｋ．ｃｏ．ｊｐ／ｎａｇａｒｅ．ｈｔｍｌ〉
【考案の概要】
【考案が解決しようとする課題】
【０００４】
上記従来の帽子の製作方法は、縫代に係る作業として、いくつもの工程と熟練が必要となっている。即ち、裁断時には縫代を考慮しなければならず、また、縫い合わせる際も、カーブ部分は皺が寄りやすいため、適宜間隔で切れ込みを入れなければならないうえ、中表の状態で縫い合わせるため、生地に柄がある場合、生地同士の柄を合わせるために、一々、表面を確認しなければならず、さらに、縫い合わせた後は、縫代を左右に広げてアイロンをかけ（通称、こてわり）、生地に沿わせる必要がある。
【０００５】
また、完成した帽子は、縫代の部分の厚みが増すため、頭部への圧迫感が生じることもあり、さらに、常に縫代を裏側にして着用するため、同じ形の帽子でも好みの色や柄があれば、それ毎に帽子を用意する必要があった。
【０００６】
本考案は上述した課題を解決するためになされたもので、その目的とするところは、製作が容易で、しかも、使い勝手のよい帽子を提供することである。
【課題を解決するための手段】
【０００７】
上述した目的を達成するために本考案では、複数枚の生地を縫い合わせてなる帽子であって、前記生地は縫代を設けず、端縁同士を直接突き合わせた状態で縫い合わせ可能な厚みを有して、該生地の突き合わせ部分をミシンによってジグザグ縫いするという手段を用いた。
【０００８】
上記手段によれば、生地同士を端縁突き合わせの状態で直接縫い合わせるため、縫代を必要としない。また、ジグザグ縫いによって生地同士を強固に縫い合わせることができる。
【０００９】
なお、用いる生地は、通常、帽子に使用されている生地から選択することができるが、二枚の生地を貼り合わせたものであることが好ましい。一枚では端縁同士を突き合わせるのに必要な厚みが確保できない薄い生地である場合に、二枚重ねとするこで突き合わせに必要な厚みが確保されるからである。
【００１０】
また、貼り合わせる二枚の生地は、全く同じ色または／及び素材であってもよいが、互いに色または／及び素材が異なるものであることが好ましい。着用者の好みに応じて表側の生地を決定することができからである。ここで色とは、色彩の他、模様および柄を含む概念である。
【００１１】
一方、裁断生地は、ダブルフェイスであることが好ましい。この場合、素材として表裏の区別がなく、何れの面も表面として使用することができるからである。
【００１２】
さらに、本考案の帽子は、キャップやハンチング帽などの片側ブリムの帽子、カウボーイハットやシルクハットなどの全周ブリムの帽子の何れにも適用可能であるが、その中でも、リバーシブル可能なハットであることであることが好ましい。それ一つで二つの用途に使用することができるからである。
【考案の効果】
【００１３】
本考案によれば、縫代を不要としたことにより、帽子製作が簡易となる。また、全体が均一な厚みとなり、部分的な圧迫感が生じることもない。さらに、リバーシブルなハットとしたので、それ一つで二通りの楽しみ方ができる。
【図面の簡単な説明】
【００１４】
【図１】本考案の一実施形態に係る帽子を後方から見た全体斜視図
【図２】製作工程を示した説明図
【考案を実施するための形態】
【００１５】
以下、本考案の好ましい実施の形態を添付した図面に従って説明する。図１は、本考案の一実施形態を示したもので、クラウンのトップ中央を縦に窪ませ、そのサイズ元にブリムを全周に設けた中折れ帽に適用したものである。なお、この中折れ帽は、ソフトフェルトハットとも呼ばれ、さらにソフトハットとも略称されることがある。
【００１６】
本実施形態の中折れ帽は、トップクラウン１と、前後のサイドクラウン２・３と、帯布のリボン４と、ブリム５の合計５枚の生地を縫い合わせてなる。各パーツの形状は、従来の中折れ帽に用いるものと基本的に同じであるが、本考案の場合、縫代はない。
【００１７】
各パーツの生地についても、従来のものと基本的に同じであり、一枚物であってもよいが、本実施形態では、後述する縫い合わせ方法に適した厚みを確保するために、二枚の生地を貼り合わせたものを用いている。貼り合わせる二枚の生地は、同じ生地であってもよいが、色や模様、さらに素材が異なる二枚の生地を貼り合わせることが好ましい。このような二枚重ねの生地は、その都度、二枚の生地を選択して、接着等により貼り合わせて得ることができる他、上記厚みを有するものであれば、当初より二枚重ね生地として製品化されているダブルフェイスの生地を採用することもできる。
【００１８】
このような形状及び生地によって製作される本実施形態の中折れ帽は、まずトップクラウン１にサイドクラウン２・３を縫い合わせてクラウンを製作し、これにリボン４を介してブリム５を縫い合わせるといったように、従来と同じ順番に各パーツを縫い合わせていくが、各パーツの縫い合わせは生地の突き合わせ部分６ａをミシンによってジグザグ縫い６ｂして構成されている（図１中の拡大図参照）。
【００１９】
即ち、図２に示したように、まず適当な二枚の生地７・８を接着等によって貼り合わせ（同図（ａ））、この二枚重ねの生地９を重ね合わせることなく、端縁同士を直接突き合わせた状態とし（同図（ｂ））、ミシン１０によってジグザグ縫いで縫い合わせたものである（同図（ｃ））。なお、図１において、ブリム５の先端側周囲にはステッチを施しているが、これはその部分のほつれを防止すると同時に、装飾性を考慮したものである。
【００２０】
このように製作した中折れ帽は、全体が均一な厚みとなるため、部分的に頭部を圧迫する部分がなく、装着感に優れる。また、素材や色、模様が異なる二枚の生地を貼り合わせ、裏返し可能な柔軟性を有する生地を使用しているため、それぞれの素材や色等に応じた二種類の風合いを有するリバーシブルなハットとすることができた。
【符号の説明】
【００２１】
１  トップクラウン
２・３  サイドクラウン
４  帯布のリボン
５  ブリム
６ａ  生地の突き合わせ部分
６ｂ  縫い合わせ部分（ジグザグ縫い）
【図１】
0003212249.tif 000003
【図２】
0003212249.tif 000004